(57)【要約】【課題】  首と耳とを同時に温める襟巻きは耳を出すのが面倒であること。【解決手段】  この襟巻き１００は、襟巻き本体１の周縁が全体的に波形であり且つ左右対称の形状となる。襟巻き本体１の上部には、２つの山形凸状の耳当部２ａ，２ｂが形成される。耳当部２ａ，２ｂは、耳を覆える高さや幅を有する。ユーザの首回りに装着した場合、端部３ａ，３ｂが顎の下あたりの胸の上に位置すると共に耳当部２ａ，２ｂが上方に立ってちょうどユーザの耳を覆うようになる。耳当部２ａ，２ｂはそれぞれ山形凸状になっているので、外側に折り返して耳を出すことができる。また、片方の耳当部２ａ，２ｂのみを折り返すこともできる。【選択図】  図１
2014074257.tif 000002
【特許請求の範囲】
【請求項１】
首を覆う幅を有すると共に首に巻くだけの長さを有し且つその両端部に端部同士を留める留部が設けられた襟巻き本体と、
襟巻き本体の片側辺に凸状に耳より大きな幅で且つ装着状態で耳を覆う高さを有する二つの耳当部と、
を有し、全体が柔軟性ある素材で構成されたことを特徴とする襟巻き。
【請求項２】
更に、前記襟巻き本体の、前記耳当部とは反対の辺であって耳当部と耳当部との間の位置に凸状に設けた背当部を有することを特徴とする請求項１に記載の襟巻き。
【請求項３】
前記襟巻き本体は、前記耳当部を設けた片側辺が内側に湾曲した形状であることを特徴とする請求項１又は２に記載の襟巻き。
【発明の詳細な説明】
【技術分野】
【０００１】
本発明は、襟巻きと耳当てを兼用する形状で、かつ同時に背中や肩なども暖めることのできる襟巻きに関するものである。
【背景技術】
【０００２】
従来から首と耳とを同時に温めるような襟巻きとして、特許文献１に開示されているようなものが知られていた。この襟巻きでは、全体が筒状であり頭から被って使用することで、首から耳にかけて同時に温めることができる。
【先行技術文献】
【特許文献】
【０００３】
【特許文献１】特開２００７−３１４９２１号公報
【発明の概要】
【発明が解決しようとする課題】
【０００４】
しかしながら、上記従来の襟巻きは、耳で音楽等を聞くときは、頭から襟巻きを外さなければならず面倒であるという問題点があった。そこで、この発明は、首及び耳を同時に温めつつ、耳を簡単に使えるようにすることを目的とする。
【課題を解決するための手段】
【０００５】
この発明の襟巻きは、首を覆う幅を有すると共に首に巻くだけの長さを有し且つその両端部に端部同士を留める留部が設けられた襟巻き本体と、襟巻き本体の片側辺に凸状に耳より大きな幅で且つ装着状態で耳を覆う高さを有する二つの耳当部と、を有し、全体が柔軟性ある素材で構成されたことを特徴とする。
【０００６】
また、この発明の襟巻きは、上記発明において、更に、前記襟巻き本体の、前記耳当部とは反対の辺であって耳当部と耳当部との間の位置に凸状に設けた背当部を有することを特徴とする。
【０００７】
また、この発明の襟巻きは、上記発明において、前記襟巻き本体は、前記耳当部を設けた片側辺が内側に湾曲した形状であることを特徴とする。
【図面の簡単な説明】
【０００８】
【図１】本発明の実施の形態１に係る襟巻きを開いた状態の外側の正面図である。
【図２】本発明の実施の形態１に係る襟巻きを開いた状態の内側の背面図である。
【図３】本発明の実施の形態１に係る襟巻きの上から見た平面図である。
【図４】本発明の実施の形態１に係る襟巻きの下から見た底面図である。
【図５】本発明の実施の形態１に係る襟巻きの右側面図である。
【図６】本発明の実施の形態１に係る襟巻きの左側面図である。
【図７】本発明の実施の形態１に係る襟巻きの斜視図である。
【図８】本発明の襟巻きの使用状態で、後側から見た斜視図である。
【図９】本発明の襟巻きの使用状態で、前側から見た斜視図である。
【図１０】本発明の襟巻きの上から外套を着て、後側からみた斜視図である。
【図１１】本発明の襟巻きの耳当部を折曲げ使用状態の側面図である。
【図１２】本発明の襟巻きの耳当部を折曲げ使用状態の斜視図である。
【図１３】本発明の襟巻きの耳当部を折曲げ使用状態の側面図である。
【図１４】本発明の実施の形態２の襟巻きを示す平面図である。
【図１５】本発明の実施の形態２の襟巻きの変形例を示す平面図である。
【図１６】本発明の実施の形態２の襟巻きの変形例を示す平面図である。
【図１７】本発明の実施の形態２の襟巻きの変形例を示す平面図である。
【図１８】本発明の実施の形態２の変形例に係る襟巻きを示す平面図である。
【図１９】本発明の実施の形態２の変形例に係る襟巻きを示す平面図である。
【図２０】本発明の実施の形態１の変形例に係る襟巻きを示す説明図である。
【発明を実施するための形態】
【０００９】
（実施の形態１）
この襟巻きは、図１乃至図７に示すように、所定高さｈと幅ｗを有する略三日月形の平面形状であると共に左右対称の形状となる。また、首に巻きつけるため内側に湾曲して全体的に長い。襟巻き本体１の上部（装着状態でユーザの頭部側に位置する）には、２つの山形凸状の耳当部２ａ，２ｂが形成されている。この耳当部２ａ，２ｂは、耳を覆える高さｈ１や幅ｗ１を有する。即ち、耳当部２ａ，２ｂの間の凹部２ｃが首の後ろに位置する場合に、前記耳当部２ａ，２ｂが頭の周方向における耳の位置になる。この位置にて、耳当部２ａ，２ｂは襟巻き本体１の高さと合わせてユーザの耳を覆うだけの高さを有するものとする。
【００１０】
また、耳当部２ａ，２ｂの高さｈ１は、後述するように折り畳むことでちょうど耳が露出するだけの高さ及び幅とする。また、耳を覆うことができれば、耳当部２ａ，２ｂは、例えば矩形、三角、半円形等でも良い。なお、図示しないが、耳当部２ａ，２ｂを変形して頬や鼻などまで覆われる形状でもよい。
【００１１】
また、襟巻き本体１は、凸形状として形成された端部３ａ及び端部３ｂを有する。端部３ａ及び端部３ｂは、若干図中上に向いて曲がっている。換言すれば、凸形状が装着状態でユーザの前方ないし胸の上部で交差するような形状に設定されている。端部３ａには留部５ａ、５ｂが設けられ、前記端部３ｂには前記留部５ａ、５ｂに対応する留部５ｃが設けられている。留部５ａ、５ｂは、装着状態で略締め付け方向を向くように並設される。留部５ａ〜５ｃは、スナップボタンにより構成する。端部３ｂの留部５ｃを端部３ａの留部５ａ又は留部５ｂに装着することで、ユーザの首回りの大きさに合わせて調整可能となる。なお、首回りの大きさに合わせて調整するにあたって前記スナップボタンの他、ボタン、ゴム又はファスナー等を用いることもできる。
【００１２】
また、襟巻き本体１の下部には、山形凸状の背当部４が設けられている。この背当部４は、装着状態で、うなじから背中を覆う高さｈ２及び幅ｗ２を備える。幅ｗ２については、首よりも少し大きい寸法とするのが好ましい。大きすぎると、襟巻き本体１を首に巻いた際に全体がうまく変形しない。このため、首の背後を主に覆うような幅とするのが好ましい。高さについても襟巻き本体１を首に巻いた際に全体がうまく変形する程度の寸法が好ましい。なお、背当部４には、カイロなどの加温素材を入れられるポケットを設けても良い（図示省略）。
【００１３】
肌にあたる裏生地６は、図３に示すように、毛布、起毛などの柔らかく暖かい素材などを使用するのが好ましい。なお、裏生地６は省略することもできる。襟巻き１００の表生地７は、外で使用する襟巻きの場合、保温される素材なら何でも良いが、ナイロンや綿素材の生地を使用しても良いし、また羽毛や綿などを内包しキルティング加工しても良い。防寒素材であるアルミシートで製作しても良いし、ビニール等の合成樹脂により製作しても良い。家の中で使用する襟巻きの場合は、表生地７、裏生地６とも毛布のような素材でも良いし、表生地７をソフトなガーゼ、綿、アクリルなどの素材、裏生地６をボア素材にしても良い。
【００１４】
次に、この襟巻きの使用方法について、図７乃至図１３を用いて説明する。この襟巻き１００は、首に巻いて用いる。図７は、説明のためユーザの図示を省略した状態を示す。使用の際は、襟巻き本体１の端部３ａ及び端部３ｂ同士を留部５により接続する。留部５は、一方の端部３ａに２つの留部５ａと留部５ｂが設けられ、他方の端部３ｂに留部５ｂが設けられており、当該端部３ｂを留部５ａ及び留部５ｂの一つに取り付けることで、首に対する締り具合を調整できる。
【００１５】
図８及び図９に示すように、ユーザの首回りに装着した場合、端部３ａ，３ｂが顎の下あたりの胸の上に位置すると共に耳当部２ａ，２ｂが上方に立ってちょうどユーザの耳を覆うようになる。更に、襟巻き本体１を首回りに巻いたときに耳当部２ａ，２ｂが耳周囲に押し付けられるようになり、当該耳当部２ａ，２ｂは多少折れ曲がりながら耳を覆う。また、耳当部２ａ，２ｂが所定の幅ｗ１を有するので、ユーザの頭部の周方向に湾曲変形し耳をすっぽり覆うことができる。
【００１６】
背当部４は、ユーザのうなじを完全に覆うように位置する。この背当部４も所定の幅ｗ２を有するため装着状態で全体的に湾曲変形し、うなじ周囲に対して押し付けられるようになる。背当部４は、下向き山形であるため、図１０に示すように、洋服の襟首から中に入れて使用することもできる。また、襟巻き本体１は、ある程度の高さを有するため、ユーザの装着状態で肩から肩甲骨あたりをすっぽりと包むようになる。また、襟巻きを着用した上から重量のある衣類、例えばコート等を羽織ると、背当部４が襟巻きのずれ留めになり、耳当部２ａ，２ｂの位置がずれない。
【００１７】
また、耳当部２ａ，２ｂがそれぞれ山形凸状をしているため、耳当部２ａ，２ｂの間に凹部２ｃが形成され、ちょうど後頭部に前記凹部２ｃが位置することになる。このため、後ろに頭髪を束ねた場合に耳当部２ａ，２ｂが邪魔になることがない。
【００１８】
また、図１１及び図１２に示すように、耳当部２ａ，２ｂを外側に折り返して耳を出すこともできる。暑くなり過ぎたときや、音楽を聴くとき等に便利である。また、図１３に示すように、片方の耳当部２ａ，２ｂのみを折り返すこともできる。片方のみを折り返すことができるのは、耳当部２ａ，２ｂがそれぞれ山形凸状をしているためである。特に、電話をする際に便利である。
【００１９】
以上、この発明の襟巻き１００によれば、耳周りや背中上部を首と同時に温めることができるので、体全体が温まって快適になる。
【００２０】
なお、襟巻き本体１は、図１〜７に示した形状よりも更に装着状態首側の辺が湾曲した状態であっても良い。襟巻き本体１自体がＣ形状となるように湾曲した形状となっても良い。この場合、耳当部２ａ，２ｂは、襟巻き１００を机上に置いた場合に重なるようになる。
【００２１】
（実施の形態２）
図１４は、本発明の実施の形態２の襟巻きを示す平面図である。この襟巻き２００は、襟巻き本体２０１が幅広の短冊状又は帯状となっており、その両端の短辺にはファスナー５ｄ，５ｅが設けられる。また、襟巻き本体１の上部（装着状態でユーザの頭部側に位置する）には、２つの山形凸状の耳当部２ａ，２ｂが形成されている。この耳当部２ａ，２ｂの形状や作用効果は上記実施の形態１と同様であるからその説明を省略する。また、襟巻き本体１の下部には、山形凸状の背当部４が設けられている。背当部４の形状や作用効果は上記実施の形態１と同様であるからその説明を省略する。なお、表生地や裏生地についても、実施の形態１と同様である。
【００２２】
この襟巻き２００は、襟巻き本体２０１を首に巻いてファスナー５ｄ，５ｅで固定する。ファスナー５ｄ，５ｅは、ユーザの首の前から胸の上部あたりに位置する。耳当部２ａ，２ｂが上方に立ってちょうどユーザの耳を覆うようになる。また、背当部４は、ユーザのうなじを完全に覆うように位置する。このような形状であっても、耳周りや背中上部を首と同時に温めることができるので、体全体が温まって快適になる。なお、襟巻き本体２０１が上記のような短冊状の単純形状であれば、上下を逆さにして使用できる。このときは、背当部が首筋を覆い、耳当部２ａ，２ｂが肩を覆うようになる。
【００２３】
なお、図１５に示すように、両耳に対応するそれぞれの前記耳当部２ａ，２ｂを一つの山形凸状の耳当部２ｃとしても良い。当該耳当部２ｃの幅は、装着状態で両耳を覆うことができる寸法とする。使用方法は、図１４に示した襟巻きと同様である。この耳当部２ｃを折り返すと襟のようになる。
【００２４】
また、図１６及び図１７に示すように、実施の形態２の襟巻き２００の背当部４を省略した構造としても良い。その他の構成は同じであるから説明を省略する。係る構成であっても、耳当部２ａ，２ｂにより両耳を覆うことができる。
【００２５】
更に、図１８及び図１９に示すように、実施の形態２の襟巻きの耳当部２ａ，２ｂ，２ｃ及び背当部４は、襟巻き本体２０１にボタン等の着脱手段で着脱自在な構成になるようにしても良い。
【００２６】
上記実施の形態に係る耳当部２ａ，２ｂは、ウサギ、ネコ、犬などの動物やキャラクターの耳になるよう自由に形に作られていても良い。
【００２７】
また、図２０に示すように、実施の形態１及び２の襟巻きの耳当部２ａ，２ｂの外周縁にボタン３０１を複数設け、且つ、耳当部２ａ，２ｂの大きさを上記実施の形態１及び２のものより大きくすることで頭の上に被せられるようにしても良い。この襟巻き３００では、耳当部２ａ，２ｂを頭の上に被せて、ボタン３０１で耳当部２ａ，２ｂの周縁同士を接続する。これにより、襟巻き３００を頭巾として用いることができる。
【符号の説明】
【００２８】
１   本体
２ａ，２ｂ  耳当部
３ａ，３ｂ 
襟巻き端部
４   背当部
５ａ，５ｂ，５ｃ  留部
６ 
表生地
７  裏生地
【図１】
2014074257.tif 000003
【図２】
2014074257.tif 000004
【図３】
2014074257.tif 000005
【図４】
2014074257.tif 000006
【図５】
2014074257.tif 000007
【図６】
2014074257.tif 000008
【図７】
2014074257.tif 000009
【図８】
2014074257.tif 000010
【図９】
2014074257.tif 000011
【図１０】
2014074257.tif 000012
【図１１】
2014074257.tif 000013
【図１２】
2014074257.tif 000014
【図１３】
2014074257.tif 000015
【図１４】
2014074257.tif 000016
【図１５】
2014074257.tif 000017
【図１６】
2014074257.tif 000018
【図１７】
2014074257.tif 000019
【図１８】
2014074257.tif 000020
【図１９】
2014074257.tif 000021
【図２０】
2014074257.tif 000022